(57)【要約】【課題】本発明は、ブラシ毛を構成する素材に納豆菌を付着または含浸させることにより、ワークを研磨または洗浄した際に、表面に雑菌または汚れによる染み等が残らずに綺麗な表面とすることができるブラシ作製方法およびブラシに関するものである。【解決手段】本発明のチャンネルブラシを作製する方法は、線状部材をブラシ毛として、デッキに植え込み、あるいはチャンネル部材で挟持して植え込みブラシまたはチャンネルブラシを作製する。前記ブラシ毛は、接着剤が塗布され、納豆菌が付着または含浸される。前記納豆菌は、洗浄水に含まれる雑菌あるいはゴミ類を浄化する作用があるため、研磨あるいは洗浄後のワーク表面を綺麗に長期間保つことができる。【選択図】図１
2012231831.tif 000002
【特許請求の範囲】
【請求項１】
紙、布、合成樹脂、および金属の少なくとも１種類からなる線状部材をブラシ毛として、デッキに植え込み、あるいはチャンネル部材で挟持して植え込みブラシまたはチャンネルブラシを作製する工程と、
前記ブラシ毛に接着剤を塗布する工程と、
前記接着剤に納豆菌を付着または含浸させる工程と、
から少なくとも構成されていることを特徴とするブラシ作製方法。
【請求項２】
紙、布、合成樹脂、および金属の少なくとも１種類からなる線状部材をブラシ毛として作製する工程と、
接着剤と納豆菌を混合し、前記ブラシ毛に付着または含浸させる工程と、
前記ブラシ毛をデッキに植え込み、あるいはチャンネル部材で挟持して植え込みブラシまたはチャンネルブラシを作製する工程と、
から少なくとも構成されていることを特徴とするブラシ作製方法。
【請求項３】
ゴム素材、不織布、スポンジ、コルクの少なくとも１種類からなる部材をブラシ毛として作製する工程と、
前記ブラシ毛に接着剤を塗布または染み込ませる工程と、
砥粒に高い静電気を印加して、舞い上がらせて、納豆菌および／または香料を前記ブラシ毛に付着させる工程と、
からなることを特徴とするブラシ作製方法。
【請求項４】
前記ブラシ毛は、接着剤および納豆菌とともに、砥粒および／または香料が付着または含浸されていることを特徴とする請求項１または請求項２に記載されたブラシ作製方法。
【請求項５】
紙または布シートに納豆菌と、接着剤および／または砥粒を塗布する工程と、
前記納豆菌と、接着剤および／または砥粒が塗布された紙または布シートの端部から丸めて棒状体を作製する工程と、
前記丸められた棒状体を捻じる工程と、
前記捻じられた棒状体を縒る工程と、
前記縒られた棒状体をデッキに植え込みまたはチャンネル部材で挟持する工程と、
から少なくとも構成されていることを特徴とするブラシ作製方法。
【請求項６】
紙、布、合成樹脂、および金属の少なくとも１種類からなる線状部材と、
前記線状部材をデッキに植え込み、あるいはチャンネル部材に挟持したブラシ毛と、
前記ブラシ毛に塗布された接着剤と、
前記接着剤によって前記ブラシ毛に付着された納豆菌と、
から少なくとも構成されていることを特徴とするブラシ。
【請求項７】
紙、布、合成樹脂、および金属の少なくとも１種類からなる線状部材と、
前記線状部材をデッキに植え込み、あるいはチャンネル部材に挟持したブラシ毛と、
前記ブラシ毛に接着剤とともに含浸された納豆菌と、
から少なくとも構成されていることを特徴とするブラシ。
【請求項８】
前記ブラシ毛は、前記接着剤によって、納豆菌および砥粒が付着または含浸されていることを特徴とする請求項６または請求項７に記載されたブラシ。
【請求項９】
前記ブラシ毛は、前記接着剤によって、納豆菌、砥粒、および香料が付着または含浸されていることを特徴とする請求項６または請求項７に記載されたブラシ。
【請求項１０】
納豆菌と、接着剤および／または砥粒が塗布または含浸された紙または布シートと、
前記紙または布シートが丸められ棒状体が捻じり、縒りされたブラシ毛と、
前記ブラシ毛を植え込み、または挟持するデッキまたはチャンネル部材と、
から少なくとも構成されていることを特徴とするブラシ。
【請求項１１】
納豆菌と、接着剤および／または砥粒が塗布または含浸されたゴム、不織布、スポンジ、コルクの内の少なくとも一つからなるブラシ毛と、
前記ブラシ毛を植え込んだデッキまたは挟持されたチャンネル部材と、
から少なくとも構成されていることを特徴とするブラシ。
【発明の詳細な説明】
【技術分野】
【０００１】
本発明は、ブラシ毛を構成する素材に納豆菌を付着または含浸させることにより、ワークを研磨または洗浄した際に、表面に雑菌または汚れによる染み等が残らずに綺麗な表面とすることができるブラシ作製方法およびブラシに関するものである。本発明のブラシによって研磨または洗浄されたワークは、比較的長期間放置された状態になっていても、表面に小さな汚れあるいは染み等が発生しないブラシ作製方法およびブラシに関するものである。
【背景技術】
【０００２】
特開２００５−１９９３６０号公報に記載されているフィルム状の研削、研磨素材は、フィルム状の樹脂素材の中に静電防止材、形状記憶材、自己修復材、バイオ材、抗菌材、フッ素などの内の少なくとも１種類の補助材が混合されている。前記公報に記載された発明は、研磨材粒子がなかなか消耗せずに長持ちするとともに、作業中に水を使用できるフィルム状の研削、研磨素材を提供することを目的とするものである。
【先行技術文献】
【特許文献】
【０００３】
【特許文献１】特開２００５−１９９３６０号公報
【発明の概要】
【発明が解決しようとする課題】
【０００４】
ワークを研磨する際、またはワークの表面を洗浄する際に、洗浄液が使用される。しかし、前記洗浄液には、必ず雑菌または汚れが僅かに混入されている。前記僅かな雑菌または汚れは、時間が経つと増殖し、目立たなかったものが大きくなり、汚れがはっきり判るようになる。また、洗浄液内の汚れは、同様に、洗浄直後に目立たないものが時間の経過により目立つようになる。
【０００５】
本発明は、前記特許文献における欠点である雑菌および汚れを除去することができるブラシ作製方法およびブラシを提供することを目的とする。また、本発明は、納豆菌に再生作用があることに着目し、長期間に渡って殺菌あるいは洗浄作用等を奏するブラシ作製方法およびブラシを提供することを目的とする。本発明は、納豆菌と各ブラシ毛との組み合わせにより、ワークを納品する際に、汚れあるいは染み等のない綺麗なものとすることができるブラシ作製方法およびブラシを提供することを目的とする。
【課題を解決するための手段】
【０００６】
（第１発明）
本発明のブラシ作製方法は、紙、布、合成樹脂、および金属の少なくとも１種類からなる線状部材をブラシ毛として、デッキに植え込み、あるいはチャンネル部材で挟持して植え込みブラシまたはチャンネルブラシを作製する工程と、前記ブラシ毛に接着剤を塗布する工程と、前記接着剤に納豆菌を付着または含浸させる工程とから少なくとも構成されていることを特徴とする。
【０００７】
（第２発明）
第２発明のブラシ作製方法は、紙、布、合成樹脂、および金属の少なくとも１種類からなる線状部材をブラシ毛として作製する工程と、接着剤と納豆菌を混合し、前記ブラシ毛に付着または含浸させる工程と、前記ブラシ毛をデッキに植え込み、あるいはチャンネル部材で挟持して植え込みブラシまたはチャンネルブラシを作製する工程とから少なくとも構成されていることを特徴とする。
【０００８】
（第３発明）
第３発明のブラシ作製方法は、ゴム素材、不織布、スポンジ、コルクの少なくとも１種類からなる部材をブラシ毛として作製する工程と、前記ブラシ毛に接着剤を塗布または染み込ませる工程と、砥粒に高い静電気を印加して、舞い上がらせて、納豆菌および／または香料を前記ブラシ毛に付着させる工程とからなることを特徴とする。
【０００９】
（第４発明）
第４発明のブラシ作製方法において、前記ブラシ毛は、接着剤および納豆菌とともに、砥粒および／または香料が付着または含浸されていることを特徴とする。
【００１０】
（第５発明）
第５発明のブラシ作製方法は、紙または布シートに納豆菌と、接着剤および／または砥粒を塗布する工程と、前記納豆菌と、接着剤および／または砥粒が塗布された紙または布シートの端部から丸めて棒状体を作製する工程と、前記丸められた棒状体を捻じる工程と、前記捻じられた棒状体を縒る工程と、前記縒られた棒状体をデッキに植え込みまたはチャンネル部材で挟持する工程とから少なくとも構成されていることを特徴とする。
【００１１】
（第６発明）
第６発明のブラシは、紙、布、合成樹脂、および金属の少なくとも１種類からなる線状部材と、前記線状部材をデッキに植え込み、あるいはチャンネル部材に挟持したブラシ毛と、前記ブラシ毛に塗布された接着剤と、前記接着剤によって前記ブラシ毛に付着された納豆菌とから少なくとも構成されていることを特徴とする。
【００１２】
（第７発明）
第７発明のブラシは、紙、布、合成樹脂、および金属の少なくとも１種類からなる線状部材と、前記線状部材をデッキに植え込み、あるいはチャンネル部材に挟持したブラシ毛と、前記ブラシ毛に接着剤とともに含浸された納豆菌とから少なくとも構成されていることを特徴とする。
【００１３】
（第８発明）
第８発明のブラシにおいて、前記ブラシ毛は、前記接着剤によって、納豆菌および砥粒が付着または含浸されていることを特徴とする。
【００１４】
（第９発明）
第９発明のブラシにおいて、前記ブラシ毛は、前記接着剤によって、納豆菌、砥粒、および香料が付着または含浸されていることを特徴とする。
【００１５】
（第１０発明）
第１０発明のブラシにおいて、納豆菌と、接着剤および／または砥粒が塗布または含浸された紙または布シートと、前記紙または布シートが丸められ棒状体が捻じり、縒りされたブラシ毛と、前記ブラシ毛を植え込み、または挟持するデッキまたはチャンネル部材とから少なくとも構成されていることを特徴とする。
【００１６】
（第１１発明）
第１１発明のブラシは、納豆菌と、接着剤および／または砥粒が塗布または含浸されたゴム、不織布、スポンジ、コルクの内の少なくとも一つからなるブラシ毛と、前記ブラシ毛を植え込んだデッキまたは挟持されたチャンネル部材とから少なくとも構成されていることを特徴とする。
【発明の効果】
【００１７】
本発明によれば、線状のブラシ毛に塗布された接着剤に納豆菌が付着または含浸されているため、研磨または洗浄後のワーク表面を長期間に渡って浄化し、綺麗に保つことができる。前記納豆菌が接着されているブラシ毛は、ワークを研磨または洗浄する際に摩擦熱が発生し、前記摩擦熱によって、前記納豆菌を増殖させることにより、効果を長く持続することができる。
【００１８】
本発明によれば、ブラシ毛に付着した納豆菌は、接着剤と納豆菌とを予め混合させたものに砥粒を加えることにより、ワークとの摩擦熱によって、前記納豆菌が発酵し、長期間に渡って水が綺麗になるため、ワークに雑菌、汚れ、あるいは染みが付着しない研磨および洗浄を行うことができる。
【００１９】
本発明によれば、ブラシ毛に納豆菌と、砥粒および／または香料を入れることにより、研磨・洗浄の際に、所望の研磨が可能であるとともに、悪臭をなくすことができる。
【００２０】
本発明によれば、摩擦熱によって、納豆菌が発酵を続けることにより、洗浄効果を長く保つことができる。
【００２１】
本発明によれば、納豆菌によって雑菌、染みおよび汚れを除去することができるため、洗浄後のワーク表面を長期間に渡って綺麗に保つことができる。
【図面の簡単な説明】
【００２２】
【図１】（イ）は本発明の実施例であり、シート素材に接着剤および納豆菌と、砥粒および／または香料を入れた状態、（ロ）は前記シート素材を丸めた状態、（ハ）は前記丸めた棒状体を捻じった状態、（ニ）は前記捻じった棒状体の複数を縒った状態、（ホ）は前記縒った棒状体を網状にした状態、（へ）は前記網状体からブラシを作製する状態を説明するための概略図である。（実施例１）
【図２】（イ）は本発明のサンドペーパーを作製する方法であり、砥粒に高い静電気を印加して、シート素材に砥粒および納豆菌等を付着させた状態、（ロ）は前記方法により作製されたシート素材、（ハ）は前記シート素材から作製された棒状体、（ニ）は前記シート素材から作製された丸棒、をそれぞれ説明するための概略図である。（実施例２）
【図３】（イ）から（ニ）は本発明のサンドペーパーからなる棒状体をチャンネル部材またはデッキに植え込んだブラシまたはチャンネル部材から作製されたホイールブラシを説明する図である。
【図４】（イ）および（ロ）は本発明の実施例であり、ロールブラシおよびワークを清掃する状態を説明するための図である。
【図５】（イ）から（ニ）は本発明の実施例であり、引き裂れた紙素材から棒状体、サイコロ状体、およびシート素材を説明するための図である。
【図６】（イ）から（ニ）は本発明の実施例であり、裁断された紙素材から棒状体、サイコロ状体、およびシート素材を説明するための図である。
【発明を実施するための形態】
【００２３】
（第１発明）
第１発明のチャンネルブラシを作製する方法は、線状部材をブラシ毛として、デッキに植え込み、あるいはチャンネル部材で挟持して植え込みブラシまたはチャンネルブラシを作製する。前記線状部材は、紙、布、合成樹脂、および金属の少なくとも１種類からなる。すなわち、前記各部材は、単独または複数種類を混合させることができる。前記ブラシ毛は、接着剤が塗布される。前記接着剤は、たとえば、澱粉質、酢酸系のものに、水または溶媒（たとえば、アルコール等）で所定の濃度（材料により異なる）にしている。
【００２４】
また、前記接着剤は、前記以外に公知のものを使用することができる。前記ブラシ毛に塗布された接着剤には、納豆菌が付着または含浸される。前記納豆菌は、洗浄水に含まれる雑菌あるいはゴミ類を浄化する作用があるため、研磨あるいは洗浄後のワーク表面を綺麗に長期間保つことができる。また、前記納豆菌は、気温が２０゜Ｃ程度の時に増殖するため、ブラシとして使用した際に、効果が減少しても、不使用中に元の状態に戻る。前記納豆菌の増殖は、ワークとブラシ毛との摩擦熱によって、促進させることができる。
【００２５】
（第２発明）
第２発明のブラシ作製方法は、接着剤、接着剤を希釈する水または溶媒、納豆菌が予め混合されており、その後、前記ブラシ毛に付着または含浸される。たとえば、合成樹脂あるいは金属からなるブラシ毛は、比較的接着性の強い接着剤と納豆菌とを予め混合させたものにより作製される。前記納豆菌に入れる接着剤の濃度および種類は、ブラシ毛の材質および硬さによって適宜変えることができる。
【００２６】
（第３発明）
第３発明のブラシ作製方法は、ブラシ毛に砥粒を付着または含浸させる際に、砥粒に接着剤と納豆菌および／または香料を混合させておき、高い静電気を印加させる。前記高い静電気は、砥粒とその他の混合物を舞い上がらせる。前記砥粒、接着剤、納豆菌および／または香料は、舞い上がる際の力によってブラシ毛に付着または含浸する。前記ブラシ毛は、材質が柔らかいもの程、納豆菌および砥粒等が内部奥深く入るため、洗浄液等の汚れが少ないという効果をより長く持続させることができる。
【００２７】
（第４発明）
第４発明のブラシ作製方法は、ブラシ毛に接着剤および納豆菌が入るとともに、砥粒および／または香料が付着または含浸されている。砥粒が入ったブラシ毛は、ワークに対する研磨力を強くすることができる。また、香料の入ったブラシ毛は、納豆菌の臭いおよびワークを研磨する際に出る悪臭を緩和させることができる。
【００２８】
（第５発明）
第５発明のブラシ作製方法は、紙または布シートに納豆菌、接着剤および／または砥粒を塗布した後、これらからブラシ毛を作製する。前記納豆菌、接着剤および／または砥粒が塗布された紙または布シートは、端部から丸められて棒状体が作製される。前記棒状体は、捩じられた後、縒られて１本のブラシ毛ができる。前記ブラシ毛は、デッキに植え込まれ、またはチャンネル部材に挟持された後、ブラシが作製される。
【００２９】
前記紙または布シートは、納豆菌と、接着剤および／または砥粒が塗布された後、棒状体とする工程、捻じり工程、縒り工程を経てブラシが作製されるため、納豆菌が前記紙および布に付着され、納豆菌の水に対する浄化作用を持続することができる。前記納豆菌は、ブラシの連続使用によって、浄化作用が多少減少したとしても、ブラシの不使用時に発酵するため、長い間効果を持続させることができる。前記紙または布シートは、紙繊維または布繊維の間に、納豆菌および砥粒が入り込み、より長い洗浄効果を持続させることができる。また、前記納豆菌の効果がなくなる時期には、ブラシ毛が紙または布製であるため、紙あるいは布そのものの寿命となる。
【００３０】
（第６発明から第１０発明）
第６発明から第１０発明は、第１発明から第５発明の作製方法に基づいて作製されたブラシであり、納豆菌の作用によって、洗浄水を浄化することができるため、ワークを洗浄または研磨した後に、残された洗浄水に残された雑菌、染みまたは汚れが残らずに綺麗なワーク表面となる。また、本発明の作製方法で作製されたブラシは、研磨または洗浄水の中に雑菌または汚れがないため、洗浄後に表面に細かいゴミ、汚れ、あるいは染みの跡等が発生しない。
【００３１】
（第１１発明）
第１１発明のブラシは、ブラシ毛がゴム、不織布、スポンジ、コルクの内の少なくとも一つから構成されている点で、第６発明から第１０発明と異なっている。前記ブラシ毛は、素材がゴム、不織布、スポンジ、コルクからなるため、素材の間に空間が沢山あり、その間に納豆菌、接着剤、砥粒、香料等が入り易い。前記納豆菌、接着剤、砥粒、香料の入り込んだブラシ毛は、奥深くまで入っているため、納豆菌の殺菌、浄化作用が長く持続する。前記納豆菌、接着剤、砥粒、香料等が入っているブラシ毛、すなわち、ゴム、不織布、スポンジ、コルクは、単体以外に複数の異なる部材が交互、または４種類の部材が並べられることにより、各素材の相乗効果を発揮することができる。特に、前記各部材は、線状部材と同様に細めに裁断してブラシ毛とすることで、素材自体の組み合わせによる効果以外に、納豆菌、砥粒、香料による相乗効果を発揮する。
【実施例１】
【００３２】
図１（イ）は本発明の実施例であり、シート素材に接着剤および納豆菌と、砥粒および／または香料を入れた状態、（ロ）は前記シート素材を丸めた状態、（ハ）は前記丸めた棒状体を捻じった状態、（ニ）は前記捻じった棒状体の複数を縒った状態、（ホ）は前記縒った棒状体を網状にした状態、（へ）は前記網状体からブラシを作製する状態を説明するための概略図である。図１（イ）において、紙シート１１は、接着剤１２および納豆菌１３と、必要に応じて、砥粒１４および／または香料１５が付着される。図１（ロ）において、接着剤１２および納豆菌１３等の付着した紙シート１１は、端部から巻かれて、棒状態となる。前記接着剤１２は、無機系、有機系、あるいは天然のものを所定の濃度にして、紙シート１１に付着または含浸させる。
【００３３】
前記接着剤１２および納豆菌１３が入り、一端から丸められた棒状体１５は、必要に応じて、砥粒１４および／または香料１５が添加されている。図１（ハ）において、棒状体１６は、捻じられる。前記丸い棒状体１６は、図２（ニ）に示すように、複数本を纏めて縒った棒状体１７とする。前記棒状体１７は、前記接着剤１２を自然に蒸発させるか、あるいは、乾燥により蒸発させる。前記棒状体１７は、図されていないチャンネル部材またはデッキ等に植え込まれて、ブラシとなる。
【００３４】
他の例として、図１（ホ）において、少なくとも接着剤１２および納豆菌１３が付着している縒った棒状体１７は、網状に編まれる。そして、前記網状に編まれたシートは、図（ヘ）に示されているように、巻回されてブラシ１８および１９が作製される。前記紙シート１１は、紙の代わりに、薄い布、合成樹脂、ゴム素材、不織布等により作製される。前記棒状体１７は、砥粒１４、香料１５の１種類または複数種類のものが入った単線または縒線として編むことにより、ブラシとすることもできる。
【００３５】
図２（イ）は本発明のサンドペーパーを作製する方法であり、砥粒に高い静電気を印加して、シート素材に砥粒および納豆菌等を付着させた状態、（ロ）は前記方法により作製されたシート素材、（ハ）は前記シート素材から作製された棒状体、（ニ）は前記シート素材から作製された丸棒、をそれぞれ説明するための概略図である。図２（イ）において、シート素材１１は、たとえば、ロール状に巻回できる薄さで板状のものである。また、前記シート素材１１は、少なくとも一種類の前記部材を編んだものにすることもできる。前記編んだシート素材１１は、その網目にも砥粒１４を付着させることができ、サンドペーパーとしての性能を向上させることができるとともに寿命を長くすることができる。
【００３６】
前記シート素材１１は、一方の面または両方の面に接着剤１２が吹き付けられ、あるいは塗布される。前記シート素材１１は、基台２１上に設けられたスペーサー２２−１、２２−２、２２−３上を通過する。前記スペーサー２２−１、２２−２、２２−３が載置された基台２１は、上下方向の一部に電極２５、２６が設けられており、その間に収納室２４が構成されている。前記収納室２４には、少なくとも納豆菌２７が砥粒２８および／または香料２９とともに収納されている。前記納豆菌２７、砥粒２８、香料２９は、前記収納室２４にバラバラに収納すること、あるいは砥粒２８の周囲に前記納豆菌２８および／または香料２９を付着または塗布させることもできる。
【００３７】
前記電極２５および２６には、高い静電気、たとえば、２万ボルト、が印加される。前記収納室２４における納豆菌２７、砥粒２８、香料２９は、前記高い静電気の力により、舞い上がり、互いに衝突しながらシート素材１１に衝突し、付着される。図２（イ）における工程によって、図２（ロ）に示すシート素材１１′が出来上がる。前記シート素材１１′は、切断線から切断されて図２（ハ）に示す長方形からなる角形の棒状体１１″および図２（ニ）に示す断面ほぼ円形からなる棒状体１１″がブラシ毛となる。以上説明したブラシ毛は、紙が主体であるが、布、合成樹脂、金属（細い）、ゴム素材、不織布、スポンジ、コルク等をほぼ同様に加工してブラシとすることができる。
【００３８】
図３（イ）から（ニ）は本発明のサンドペーパーからなる棒状体をチャンネル部材またはデッキに植え込んだブラシまたはチャンネル部材から作製されたホイールブラシを説明する図である。図３（イ）において、図１または図２に示す方法により作製されたブラシ毛３１は、たとえば、芯３２を間に挟み、二つ折りにしてほぼＵ字型チャンネル部材３３の間に挟んだ後、両側から加圧してチャンネルブラシができる。図３（ロ）において、前記ブラシ毛３１は、チャンネル部材３３の間に入れるとともに、接着剤３４によって固める。
【００３９】
図３（ハ）において、前記ブラシ毛３６は、デッキ３５の穴に埋め込まれてデッキブラシができる。図３（ニ）において、図３（イ）または（ロ）に示すチャンネルブラシ３１は、ホイール３７の周りに周回させることにより、ホイールブラシ３９ができる。
【００４０】
図４（イ）および（ロ）は本発明の実施例であり、ロールブラシおよびワークを清掃する状態を説明するための図である。図４（イ）および（ロ）において、基台４１上には、ワーク４２が載置されている。前記ワーク４２は、上部において、軸４４の周りにブラシ毛が巻回されているロールブラシ４３により表面が研磨または洗浄される。前記ロールブラシ４３は、前記ホイールブラシ３９を連続して設けるものであるが、いかなる公知のロールブラシであっても使用することができる。
【００４１】
図５（イ）から（ニ）は本発明の実施例であり、引き裂れた紙素材から棒状体、サイコロ状体、およびシート素材を説明するための図である。図５（イ）において、引き裂かれた紙素材５１は、収納容器５２の内部に入れられる。また、前記収納容器５２の中には、納豆菌５４、砥粒５５、香料５６が必要に応じて、接着剤５３とともに入れられる。前記収納容器５２内に入れられた前記接着剤５３および納豆菌５４、あるいは必要に応じて、砥粒５５および／または香料５６は、型に入れられて、図５（ニ）に示される棒状体５７、サイコロ体５８、あるいはシート素材５９が得られる。
【００４２】
前記シート素材５９は、単線あるいは縒った線とすることができる。特に、紙製のシート素材５９は、シート状紙を丸めた後、捩じり、その後、縒って一本の素材にした後、図１（ニ）に示す棒状体１７、あるいは図１（ホ）および（ヘ）に示す網素材１７、棒ブラシ１９にすることができる。また、前記紙製シート素材５９の代わりに布、合成樹脂部材、不織布に接着剤とともに、納豆菌、砥粒、香料を必要量入れることにより、所望の目的を達成することができるブラシを作製することができる。
【００４３】
図６（イ）から（ニ）は本発明の実施例であり、裁断された紙素材から棒状体、サイコロ状体、およびシート素材を説明するための図である。図６（イ）において、紙、布、合成樹脂部材、不織布等は、整然と裁断６１される。前記裁断された部材は、図５に示されているものとほぼ同様にして、接着剤６３、納豆菌６４、砥粒６５、香料６６を必要に応じて入れることにより、図６（ニ）に示す棒状体６７、サイコロ体６８、およびシート６９ができる。前記香料６６は、ワークを研磨する際の摩擦熱により、納豆菌６４とともに、効果を上げることができる。
【００４４】
前記裁断された紙製棒状体６１は、図示されていない不織布に代えることができる。前記不織布は、図５の符号５１で示されるように裂かれ、あるいは図６の符号６１で示されるように裁断される。前記不織布は、前記容器において、接着剤、納豆菌、砥粒および／または香料が入れられる。その後、図５および図６の（ニ）に示すように、棒状体、石鹸状体、およびシート状体が成形される。
【００４５】
以上のように、前記ブラシは、紙製および不織布で説明したが、前記紙および不織布の代わりに、薄い布または合成樹脂とすることができる。また、前記ブラシは、ゴム素材、スポンジ、コルク等を棒状にして、前記各物質を入れることができる。さらに、金属素材は、予め線状になっているものの周囲に接着剤を付着または塗布しておき、所定の形状のブラシとする。
【００４６】
本発明に使用する砥粒は、ダイヤモンド、セラミックス、アルミナ、シリコン、ジルコニア、ジルコニウム、ガラス、エメリー、酸化セリウム、窒化ホウ素（ＣＢＮ）、グリーンカーボン（ＧＣ）からなる少なくとも１種類である。前記ダイヤモンドは、通常、人工的に作製された工業ダイヤモンドである。また、前記材料の選択あるいは砥粒の大きさは、ワークの種類および目的により研磨または洗浄に適した大きさのものを使用する。
【００４７】
実施例１
対象物            液晶パネルの表面（５０インチ液晶表示画面）
使用納豆菌        γ−ポリグルタミン酸
使用ブラシ毛      和紙を丸め、縒り、捻じりを加えたチャンネルブラシ
完成後放置期間    ３カ月放置したが、雑菌の繁殖および小さな汚れ、染み等の発生がなかった。
【００４８】
実施例２
対象物            液晶パネルの表面（５０インチ液晶表示画面）
使用納豆菌        γ−ポリグルタミン酸
使用ブラシ毛      ブラシ毛が不織布からなるチャンネルブラシ
完成後放置期間    ３カ月放置したが、雑菌の繁殖および小さな汚れ、染み等の発生がなかった。
【００４９】
実施例３
対象物の大きさ    太陽電池パネル（薄膜多結晶太陽電池  単位太陽電池パネる  １３１８×１００４×４６ｍｍのパネル）
使用納豆菌        γ−ポリグルタミン酸
使用ブラシ毛      ブラシ毛がゴム素材からなるチャンネルブラシ
完成後放置期間    ３カ月放置したが、雑菌の繁殖および小さな汚れ、染み等の発生がなかった。
【００５０】
実施例４
対象物の大きさ    太陽電池パネル（薄膜多結晶太陽電池  単位太陽電池パネル  １３１８×１００４×４６ｍｍのパネル）
使用納豆菌        東和酵素株式会社（神奈川県平塚市）製造の納豆菌（バチルス菌）
使用ブラシ毛      合成樹脂製ブラシ毛からなるチャンネルブラシ
完成後放置期間    ３カ月放置したが、雑菌の繁殖および小さな汚れ、染み等の発生がなかった。
【００５１】
以上のように納豆菌の入ったブラシは、ワークを洗浄および／または研磨に使用した場合、内部に残っている納豆菌が洗浄および／または研磨に使用する水等の内部にある汚いものを浄化することができる。納豆菌は、他の菌と比較して強いため、他の菌を殺し常に洗浄水等を綺麗にすることができるため、大型平面板、たとえば、液晶表示画面、あるいは太陽電池等の表面に染みや汚れを残すことがない。
【００５２】
以上、本発明の実施例を詳述したが、本発明は、前記実施例に限定されるものではない。そして、本発明は、持許請求の範囲に記載された事項を逸脱することがなければ、種々の設計変更を行うことが可能である。本発明のサンドペーパーの作製方法およびサンドペーパーは、砥粒の付着を高い静電気の印加によって行っているため、付着量および付着の際の砥粒の向き等が通常のものと異なっているため、磨耗の状態等が明らかに異なるものである。なお、ブラシ毛を構成する部材は、紙以外に、布、合成樹脂、金属、ゴム素材、不織布、スポンジ、コルク等とすることができる。
【符号の説明】
【００５３】
１１・・・紙シート
１２・・・接着剤
１３・・・納豆菌
１４・・・砥粒
１５・・・香料
１６・・・捻じり棒
１７・・・捻じり縒り棒
１８・・・ブラシ
１９・・・柄
２１・・・基台
２２−１、２２−２、２２−３・・・スペーサー
２５、２６・・・電極
２７・・・納豆菌
２８・・・砥粒
２９・・・香料
【図１】
2012231831.tif 000003
【図２】
2012231831.tif 000004
【図３】
2012231831.tif 000005
【図４】
2012231831.tif 000006
【図５】
2012231831.tif 000007
【図６】
2012231831.tif 000008